(57)【要約】【課題】本発明の目的は、イベント時のように膨大な量のアクセスがあってもクライアントのアクセス履歴を確度良く取得して管理できるＷｅｂアクセス履歴管理システムを提供することにある。【解決手段】Ｗｅｂページを閲覧するためにクライアントが用いるＷｅｂブラウザ端末１は、アクセスしたＷｅｂサーバ２のアドレスとアクセス時間をアクセス履歴としてクライアント履歴ファイル３１に蓄積する。Ｗｅｂサーバ２の要求によりアクセス履歴をＷｅｂサーバ２に送信する。【選択図】　図１
2004139215.tif 000002
【特許請求の範囲】
【請求項１】
Ｗｅｂページを閲覧するためにクライアントが用いるＷｅｂブラウザ端末と、前記Ｗｅｂブラウザ端末にインターネットを介して接続され、前記Ｗｅｂブラウザ端末に情報を送信する複数のＷｅｂサーバから構成され、
前記Ｗｅｂブラウザ端末は、アクセスしたＷｅｂサーバのアドレスとアクセス時間をアクセス履歴として保持するクライアント履歴蓄積手段と、前記Ｗｅｂサーバの要求によりアクセス履歴を前記Ｗｅｂサーバに送信するクライアント履歴送信手段とを具備することを特徴とするＷｅｂアクセス履歴管理システム。
【請求項２】
Ｗｅｂページを閲覧するためにクライアントが用いるＷｅｂブラウザ端末と、前記Ｗｅｂブラウザ端末にインターネットを介して接続され前記Ｗｅｂブラウザ端末に情報を送信する複数のＷｅｂサーバから構成され、
前記Ｗｅｂブラウザ端末は、アクセスしたＷｅｂサーバのアドレスとアクセス時間をアクセス履歴として保持するクライアント履歴蓄積手段と、前記Ｗｅｂサーバに前記アクセス履歴を必要とするか問合わせるクライアント履歴要否確認手段と、前記Ｗｅｂサーバの要求によりアクセス履歴を前記Ｗｅｂサーバに送信するクライアント履歴送信手段とを具備することを特徴とするＷｅｂアクセス履歴管理システム。
【発明の詳細な説明】
【０００１】
【発明の属する技術分野】
本発明は、Ｗｅｂページを閲覧するためにクライアントが用いるＷｅｂブラウザ端末と複数のＷｅｂサーバがインターネットを介して接続され、前記Ｗｅｂブラウザ端末に情報を送信する複数のＷｅｂサーバから構成され、クライアントのアクセス履歴を管理するＷｅｂアクセス履歴管理システムに関する。
【０００２】
【従来の技術】
【特許文献１】特開２００１−３４４１９６号公報
近年、インターネット経由で行われるマーケティング活動が盛んに行われている。宣伝用Ｗｅｂサイトを開設するという単純なシステムから、インターネット上でのマーケットリサーチ、ネット技術を応用した顧客との対話など、その手段は多岐に亘っている。
【０００３】
ネットマーケティングを行う企業が増加する一方、ネットマーケティングの受託を専門に行う企業も増加しており、市場規模は急速に拡大し続けている。このマーケティングを行う際、Ｗｅｂブラウザを利用するクライアントがホームページを閲覧する動線、ホームページに滞在する時間はクライアントの動向を知る上で重要な要因である。
【０００４】
従来、ＣＧＩ（Ｃｏｍｍｏｎ　Ｇａｔｅｗａｙ　Ｉｎｔｅｒｆａｃｅ）と呼ばれるＷｅｂサーバがＷｅｂブラウザからの要求に応じてプログラムを起動させ、クライアントのホームページ・アクセス履歴を蓄積するようにしている。この方式ではホームページに訪問するクライアントを特定することができず、またクライアントの素性を知ることもできない。そのため、確度の低いマーケッティング調査にならざるを得ない。
【０００５】
このことを解決するために、例えば、上述の特許文献１に記載されているように、情報蓄積サイトと契約を行ったクライアントに関するインターネットのアクセス履歴を情報蓄積サイトにおいて取得して一括管理することで、素性の明確なクライアントのアクセス履歴取得することが提案されている。
【０００６】
【発明が解決しようとする課題】
従来技術は情報蓄積サイトのサーバでクライアントのアクセス履歴を一括管理しているが、イベント時のように膨大な量のアクセスがあるとアクセス履歴を取得することが困難になり精度良くアクセス履歴を管理できないという問題点を有する。また、常にクライアントのアクセス履歴が収集され、クライアントにとってはどの企業サイトにそのアクセス履歴が利用されるのか不明で不安になるという実用上の問題点もある。
本発明の目的は、イベント時のように膨大な量のアクセスがあってもクライアントのアクセス履歴を確度良く取得して管理できるＷｅｂアクセス履歴管理システムを提供することにある。
【０００７】
【課題を解決するための手段】
本発明の特徴とするところは、Ｗｅｂページを閲覧するためにクライアントが用いるＷｅｂブラウザ端末は、アクセスしたＷｅｂサーバのアドレスとアクセス時間をアクセス履歴として保持し、Ｗｅｂサーバの要求によりアクセス履歴をＷｅｂサーバに送信するようにしたことにある。
本発明は、クライアントが用いるＷｅｂブラウザ端末にアクセスしたＷｅｂサーバのアドレスとアクセス時間のアクセス履歴として保持するようにしているので、膨大な量のアクセスがあってもクライアントのアクセス履歴を確度良く取得して管理することができる。
【０００８】
【発明の実施の形態】
以下では、本発明の一実施例を図を用いて説明する。
図１は本発明の一実施例を示す機能ブロック図である。
クライアントのＷｅｂブラウザ端末１は、クライアント履歴蓄積手段１１、クライアント履歴抽出手段１２、クライアント履歴送信手段１３、クライアント履歴要否確認手段１４、クライアント履歴ファイル３１から構成されている。
【０００９】
Ｗｅｂブラウザ端末１はインターネット１０を介してＷｅｂサーバ２０に接続されている。Ｗｅｂサーバ２は履歴受信手段２１、履歴取引手段２２、履歴購入条件設定手段２３、受信履歴ファイル３２、履歴購入条件設定ファイル３３から構成されている。
【００１０】
なお、インターネット１０には、通常、複数台のＷｅｂブラウザ端末１とＷｅｂサーバ２が接続されているが、図１では図示を簡単にするために１台のみを図示している。
【００１１】
クライアント履歴ファイル３１には図２に示すようにアクセス時間３１１、ＵＲＬ３１２の情報が格納されている。また、受信履歴ファイル３２には図３に示すようにはクライアントＩＤ３２１、アクセス時間３２２、ＵＲＬ３２３の情報が格納されており、履歴購入条件設定ファイル３３には図４に示すように履歴取込開始時間３３１と履歴取込終了時間３３２の情報が格納されている。
【００１２】
以下、本実施例の動作を詳細に説明する。
クライアント履歴蓄積手段１１は図５のようにＷｅｂブラウザ端末１でインターネット１０のホームページを閲覧する度に、クライアント履歴ファイル３１にホームページを閲覧したアクセス時間３１１と閲覧したホームページのＵＲＬ３１２を追記する（ステップＳ１）。
【００１３】
Ｗｅｂブラウザ端末１とＷｅｂサーバは互いの内蔵時計を一致させるために、例えばインターネット１０に接続された計算機内蔵時計に定期的にアクセスすることで、高い精度で独立行政法人通信総合研究所が提供している日本標準時を得ることが出来る。
【００１４】
クライアント履歴抽出手段１２は図６の処理を実行する。クライアント履歴抽出手段１２はステップＳ２においてクライアント履歴送信手段１３から該当Ｗｅｂサーバ名及び指定時間帯をパラメータにして呼び出され、クライアント履歴ファイル３１から該当Ｗｅｂサーバ名及び指定時間帯を含む時間にアクセスした連続した履歴レコードを読み出す処理を実行する。
【００１５】
例えば、該当Ｗｅｂサーバ名が「ａｂｃ．ｙｙｙｙ．ｃｏ．ｊｐ」で、指定時間帯が「２００２／０７／１０　１３：００：００〜２００２／０７／１０　１４：００：００」である時、クライアント履歴ファイル３１のアクセス時間３１１が２００２／０７／１０　１２：５６：４９〜２００２／０７／１０　１３：１８：４９で、ＵＲＬ３１２にＷｅｂサーバ名ａｂｃ．ｙｙｙｙ．ｃｏ．ｊｐを含む連続した４件のアクセス履歴レコードが対象となる。
【００１６】
ステップＳ３ではステップＳ２で読み込んだアクセス履歴レコードの直前直後、つまりアクセスしたＷｅｂサーバ（Ｗｅｂサイト）の切替時におけるアクセス履歴レコードを読み出す。
【００１７】
例えば、該当Ｗｅｂサーバのホームページを閲覧する直前に閲覧したＵＲＬはアクセス時間が、
「２００２／０７／１０　１２：１５：３８」の「ｈｔｔｐ：／／ｗｗｗ．ｘｘｘｘ．ｃｏ．ｊｐ／ｌｉｎｋ．ｈｔｍ」であり、該当Ｗｅｂサーバのホームページを閲覧を終えた直後に閲覧したＵＲＬはアクセス時間が、
「２００２／０７／１０　１３：２２：１５」の「ｈｔｔｐ：／／ｗｗｗ．ｚｚｚｚ．ｃｏｍ／ｉｎｄｅｘ．ｈｔｍ」である。
【００１８】
クライアント履歴送信手段１３は図７のステップＳ４において該当Ｗｅｂサーバ名及び指定時間帯をパラメータとして、クライアント履歴抽出手段１２を呼び出す。ステップＳ４からステップＳ５に移行してクライアント履歴抽出手段１２から取り込んだ該当履歴レコードをクライアント履歴送信手段１３がＷｅｂサーバ２に送信する。
【００１９】
クライアント履歴要否確認手段１４は図８のステップＳ６においてＷｅｂサーバ２の履歴取引手段２２にクライアント履歴送信要求を送信する。履歴取引手段２２からステップＳ７でクライアント履歴受信要求があると（ステップＳ６のＹｅｓ）、ステップＳ８に移行して履歴取引手段２２から該当指定時間帯を受信する。
【００２０】
ステップＳ９では該当Ｗｅｂサーバ名と受信した該当指定時間帯をパラメータとしてクライアント履歴送信手段１３を呼び出す。なお、履歴取引手段２２からクライアント履歴受信不要であれば（ステップＳ７のＮｏ）、クライアント履歴取引を実行しないで処理を終了する。
【００２１】
履歴受信手段２１は図９のステップＳ１０においてＷｅｂブラウザ端末１０のクライアント履歴送信手段１３から該当クライアント履歴を受信し、ステップＳ１１に移行して受信履歴ファイル３２にクライアントＩＤ３２１、アクセス時間３２２、ＵＲＬ３２３を追記する。
【００２２】
クライアントＩＤ３２１は、インターネット１０に接続する端末もしくは利用者を一意に識別できればよく、例えばメールアドレスを代用することもできる。また、クライアント履歴を売買するマーケットの運営組織を構築し、それを利用するクライアントに対し運営組織がマーケット内で端末もしくは利用者を一意に識別するＩＤを付与することで代用することもできる。その際、クライアント履歴売り込みの単価を運営組織と契約し、Ｗｅｂブラウザ端末１とＷｅｂサーバ２間でクライアント履歴の送信／受信が成立したら、Ｗｅｂサーバ２からの代金回収をマーケットの運営組織が行うようにすることもできる。
【００２３】
履歴取引手段２２はＷｅｂブラウザ端末１のクライアント履歴要否確認手段１４からクライアント履歴要否の確認信号を受信すると、図１０のステップＳ１２でクライアント履歴の受信を受け付けるかどうかの決定をする為に履歴購入条件設定ファイル３３を検索する。
【００２４】
履歴取引手段２２はステップＳ１３で履歴購入条件設定ファイル３３に履歴取込開始時間と履歴取込終了時間が書き込まれたレコード（時間帯データ）が存在すると判断すると（ステップＳ１３のＹｅｓ）、ステップＳ１４に移行してクライアント履歴要否確認手段１４にクライアント履歴送信要を送信する。
【００２５】
ステップＳ１４からステップＳ１５に移行してクライアント履歴要否確認手段１４に履歴購入条件設定ファイル３３に設定されている履歴取込開始時間と履歴取込終了時間からなる指定時間帯を送信する。
【００２６】
なお、ステップＳ１３で履歴購入条件設定ファイル３３に履歴取込開始時間と履歴取込終了時間が書き込まれたレコードが存在しなければ（ステップＳ１３のＮｏ）、ステップＳ１６においてクライアント履歴要否確認手段１４にクライアント履歴送信不要を送信しクライアント履歴取引を実行しないで処理を終了する。
【００２７】
履歴購入条件設定手段２３はＷｅｂサーバ２の運営管理者が図１１のステップＳ１８でクライアント履歴を必要と判断すると（ステップＳ１８のＹｅｓ）、ステップＳ１９において運営管理者が指示する履歴取込開始時間と履歴取込終了時間を履歴購入条件設定ファイル３３０に書き込む処理を実行する。運営管理者からの指示は、例えば、パソコンに標準で装備されているテキストエディタで履歴購入条件設定ファイル３３を直接書き換えても行える。
【００２８】
ステップＳ１８で運営管理者がクライアント履歴を必要としないと判断すると（ステップＳ１８のＮｏ）、履歴購入条件設定ファイル３３内のレコードを削除する。
【００２９】
このようにしてクライアントのアクセス履歴を管理するのであるが、クライアントが用いるＷｅｂブラウザ端末にアクセスしたＷｅｂサーバのアドレスとアクセス時間のアクセス履歴として保持するようにしているので、膨大な量のアクセスがあってもクライアントのアクセス履歴を確度良く取得して管理することができる。
【００３０】
また、上述の実施例はクライアントからＷｅｂサイトにアクセス履歴の要否を確認して、クライアントのアクセス履歴をＷｅｂサイトとの間で売買することによりアクセス履歴の流通量を増やし、より確度の高いネットマーケティング・サーベイの元となるデータを提供するができる。
【００３１】
【発明の効果】
本発明は、クライアントが用いるＷｅｂブラウザ端末にアクセスしたＷｅｂサーバのアドレスとアクセス時間のアクセス履歴として保持するようにしているので、膨大な量のアクセスがあってもクライアントのアクセス履歴を確度良く取得して管理することができる。
【図面の簡単な説明】
【図１】本発明の一実施例を示す構成図である。
【図２】クライアント履歴ファイルの構成図である。
【図３】受信履歴ファイルの構成図である。
【図４】履歴購入条件設定ファイルの構成図である。
【図５】クライアント履歴蓄積手段の動作を説明するフロー図である。
【図６】クライアント履歴抽出手段の動作を説明するフロー図である。
【図７】クライアント履歴送信手段の動作を説明するフロー図である。
【図８】クライアント履歴要否確認手段の動作を説明するフロー図である。
【図９】履歴受信手段の動作を説明するフロー図である。
【図１０】履歴取引手段の動作を説明するフロー図である。
【図１１】履歴購入条件設定手段の動作を説明するフロー図である。
【符号の説明】
１…Ｗｅｂブラウザ端末、２…Ｗｅｂサーバ、１０…インターネット、１１…クライアント履歴蓄積手段、１２…クライアント履歴抽出手段、１３…クライアント履歴送信手段、１４…クライアント履歴要否確認手段、２１…履歴受信手段、２２…履歴取引手段、２３…履歴購入条件設定手段、３１…クライアント履歴ファイル、３２…受信履歴ファイル、３３…履歴購入条件設定ファイル。
【図１】
2004139215.tif 000003
【図２】
2004139215.tif 000004
【図３】
2004139215.tif 000005
【図４】
2004139215.tif 000006
【図５】
2004139215.tif 000007
【図６】
2004139215.tif 000008
【図７】
2004139215.tif 000009
【図８】
2004139215.tif 000010
【図９】
2004139215.tif 000011
【図１０】
2004139215.tif 000012
【図１１】
2004139215.tif 000013